(57)【要約】【課題】ＵＳＢデバイスの離脱を容易に行うことが可能なＵＳＢデバイス及び電子機器を提供する。【解決手段】上ケース２３には、離脱方向Ｄｒ（接続方向Ｄｃ）と平行な３つの表面（上面２３ａ及び側面２３ｂ，２３ｃ）に、各面から垂直に突出する凸部３１，３２が形成されている。具体的には、上面２３ａには、左右方向、即ち上面２３ａに平行で離脱方向Ｄｒに垂直な方向に延在する直線状の凸部３１が、接続方向Ｄｃ側の端部に３本、離脱方向Ｄｒ側の端部に３本の合計６本形成されている。また、側面２３ｂ，２３ｃのそれぞれには、上下方向、即ち側面２３ｂ，２３ｃに平行で離脱方向Ｄｒに垂直な方向に延在する直線状の凸部３２が、それぞれ接続方向Ｄｃ側の端部に４本、離脱方向Ｄｒ側の端部に４本の合計８本形成されている。これらの凸部３１，３２は、ＵＳＢデバイス２０をプロジェクター１から引き抜く際に、滑り止めとして機能する。【選択図】図３
2011242969.tif 000002
【特許請求の範囲】
【請求項１】
デバイス本体、及び前記デバイス本体から突出するＵＳＢプラグを有し、電子機器に備わるＵＳＢレセプタクルに前記ＵＳＢプラグを挿入することによって前記電子機器に接続されるＵＳＢデバイスであって、
前記デバイス本体には、前記ＵＳＢレセプタクルから前記ＵＳＢプラグを離脱させる離脱方向と平行な複数の表面に凹凸構造が形成されていることを特徴とするＵＳＢデバイス。
【請求項２】
請求項１に記載のＵＳＢデバイスであって、
前記凹凸構造は、前記離脱方向側の端部に形成されていることを特徴とするＵＳＢデバイス。
【請求項３】
請求項１又は２に記載のＵＳＢデバイスであって、
前記凹凸構造は、円弧状の部位を含んでおり、
前記円弧状の部位は、円弧の中心よりも前記離脱方向側に位置していることを特徴とするＵＳＢデバイス。
【請求項４】
請求項１〜３のいずれか一項に記載のＵＳＢデバイスであって、
前記凹凸構造は、前記ＵＳＢデバイスに付すべきマークを兼ねていることを特徴とするＵＳＢデバイス。
【請求項５】
請求項１〜４のいずれか一項に記載のＵＳＢデバイスと、
前記ＵＳＢデバイスを接続するためのＵＳＢレセプタクルと、
外装を構成する筐体と、
前記筐体に形成され、前記ＵＳＢレセプタクルに接続した状態の前記ＵＳＢデバイスを収容するための収容部と、
を備えたことを特徴とする電子機器。
【発明の詳細な説明】
【技術分野】
【０００１】
本発明は、電子機器に接続されるＵＳＢデバイス及び電子機器に関する。
【背景技術】
【０００２】
近年、コンピューターをはじめとする様々な電子機器において、ＵＳＢデバイスを接続するためのＵＳＢレセプタクル（受け側のコネクター）が搭載されるようになっている。このため、ユーザーは、このＵＳＢレセプタクルに記憶デバイス（ＵＳＢメモリー）を接続して、データの授受を行ったり、無線通信デバイスを接続して、電子機器に無線通信機能を付加したりすることが可能になっている。
【０００３】
特許文献１には、ＵＳＢデバイス（ＵＳＢ機器）を接続した状態で収容する窪み状の収容部を筐体に備えるとともに、この収容部を覆う被覆部材を備えたプロジェクターが提案されている。このプロジェクターによれば、ＵＳＢデバイスが筐体から突出しなくなるため、プロジェクターの設置時や運搬時にＵＳＢデバイスが邪魔にならずに済むとともに、ＵＳＢデバイスが被覆部材で覆われるため、ＵＳＢデバイスの盗難を抑制することが可能となっている。
【先行技術文献】
【特許文献】
【０００４】
【特許文献１】特開２０１０−５５３６３号公報
【発明の概要】
【発明が解決しようとする課題】
【０００５】
しかしながら、特許文献１に記載のプロジェクターのように、ＵＳＢデバイスを筐体の収容部に収容する態様では、電子機器に接続された状態のＵＳＢデバイスが筐体等に囲まれていることになる。このため、ＵＳＢデバイスを電子機器から離脱させる際に、ＵＳＢデバイスが摘みにくくなってしまい、ＵＳＢデバイスを離脱させにくいという問題を有している。一方、ＵＳＢデバイスを離脱させやすくするために、ＵＳＢデバイスの周囲に、ＵＳＢデバイスを指で確実に摘むための空間を確保した場合には、収容部が大型化し、その結果として、電子機器が大型化してしまうという問題がある。
【課題を解決するための手段】
【０００６】
本発明は、上述の課題の少なくとも一部を解決するためになされたものであり、以下の形態又は適用例として実現することが可能である。
【０００７】
［適用例１］本適用例に係るＵＳＢデバイスは、デバイス本体、及び前記デバイス本体から突出するＵＳＢプラグを有し、電子機器に備わるＵＳＢレセプタクルに前記ＵＳＢプラグを挿入することによって前記電子機器に接続されるＵＳＢデバイスであって、前記デバイス本体には、前記ＵＳＢレセプタクルから前記ＵＳＢプラグを離脱させる離脱方向と平行な複数の表面に凹凸構造が形成されていることを特徴とする。
【０００８】
このＵＳＢデバイスによれば、離脱方向と平行な複数の表面に凹凸構造が形成されているため、ＵＳＢデバイスを電子機器から引き抜く際に指が滑りにくくなる。このため、ＵＳＢデバイスの離脱を容易に行うことが可能となる。
【０００９】
［適用例２］上記適用例に係るＵＳＢデバイスにおいて、前記凹凸構造は、前記離脱方向側の端部に形成されていることが望ましい。
【００１０】
このＵＳＢデバイスによれば、凹凸構造が離脱方向側の端部に形成されているため、ＵＳＢデバイスを電子機器に接続した状態において、離脱方向側の端部のみが露出する場合であっても、ＵＳＢデバイスの離脱を容易に行うことが可能となる。
【００１１】
［適用例３］上記適用例に係るＵＳＢデバイスにおいて、前記凹凸構造は、円弧状の部位を含んでおり、前記円弧状の部位は、円弧の中心よりも前記離脱方向側に位置していることが望ましい。
【００１２】
このＵＳＢデバイスによれば、凹凸構造に円弧状の部位が含まれており、この円弧状の部位が、円弧の中心よりも離脱方向側に位置している。つまり、円弧状の部位は、離脱方向の反対方向側が開いているため、デバイス本体を摘んで離脱させる際に、指が引っ掛かりやすくなる。この結果、ＵＳＢデバイスの離脱がさらに容易になる。
【００１３】
［適用例４］上記適用例に係るＵＳＢデバイスにおいて、前記凹凸構造は、前記ＵＳＢデバイスに付すべきマークを兼ねていてもよい。
【００１４】
このＵＳＢデバイスによれば、凹凸構造がＵＳＢデバイスに付すべきマークを兼ねているため、デバイス本体の表面のスペースを有効に活用することが可能となる。
【００１５】
［適用例５］本適用例に係る電子機器は、上記適用例のいずれかに記載のＵＳＢデバイスと、前記ＵＳＢデバイスを接続するためのＵＳＢレセプタクルと、外装を構成する筐体と、前記筐体に形成され、前記ＵＳＢレセプタクルに接続した状態の前記ＵＳＢデバイスを収容するための収容部と、を備えたことを特徴とする。
【００１６】
この電子機器によれば、上述したＵＳＢデバイスと同様、ＵＳＢデバイスの離脱を容易に行うことが可能となる。また、ＵＳＢデバイスを離脱させやすくなることから、収容部内において、ＵＳＢデバイスを離脱させる際に指で摘むための空間を小さくすることが可能となる。この結果、収容部を設けることによって電子機器が大型化してしまうことを抑制することが可能となる。
【図面の簡単な説明】
【００１７】
【図１】ＵＳＢデバイスを接続可能なプロジェクターを示す斜視図。
【図２】蓋部材を取り外した状態のプロジェクターを示す斜視図であり、（ａ）は、ＵＳＢデバイスを接続していない状態を示す図、（ｂ）は、ＵＳＢデバイスを接続した状態を示す図。
【図３】ＵＳＢデバイスを示す図であり、（ａ）は、上側から見た平面図、（ｂ）は、側面図、（ｃ）は、下側から見た平面図、（ｄ）は、（ａ）におけるＡ−Ａ断面図。
【図４】図３（ｄ）における部分拡大図。
【図５】他の態様のプロジェクターを示す斜視図。
【図６】変形例に係るＵＳＢデバイスを上側から見た平面図。
【発明を実施するための形態】
【００１８】
以下、本実施形態のＵＳＢデバイス及び電子機器について、図面を参照して説明する。
図１は、ＵＳＢデバイスを接続可能なプロジェクターを示す斜視図である。プロジェクターは、外部から入力される画像情報、又は内部で生成された画像情報に基づく画像を、スクリーン等に投写して表示する電子機器である。
【００１９】
図１に示すように、本実施形態のプロジェクター１は、外装を構成する筐体２に本体が収容された構成を有しており、筐体２の前面２ｆには、画像を投写する投写レンズ３を露出させるための開口部４が形成されている。また、筐体２の前面２ｆと上面２ｔとが交わる角部（稜部）には、取り外しが可能な蓋部材５が装着されている。蓋部材５は、筐体２との境界に段差が生じないように、前面５ｆが筐体２の前面２ｆと連続し、上面５ｔが筐体２の上面２ｔと連続するＬ字型の形状を有している。
【００２０】
図２は、蓋部材５を取り外した状態のプロジェクター１を示す斜視図であり、（ａ）は、ＵＳＢデバイスを接続していない状態を示す図、（ｂ）は、ＵＳＢデバイスを接続した状態を示す図である。
図２（ａ）、（ｂ）に示すように、筐体２には、蓋部材５で覆われていた位置、即ち前面２ｆと上面２ｔとが交わる角部に、ＵＳＢデバイス２０を収容するための窪み状の収容部６が形成されており、ＵＳＢデバイス２０を、プロジェクター１に接続した状態で収容可能になっている。収容部６は、蓋部材５の上面５ｔに対向する底面６ａと、蓋部材５の前面５ｆに対向する第１の側面６ｂと、蓋部材５の前面５ｆ及び上面５ｔの双方と交差する第２及び第３の側面６ｃ，６ｄとを含んでいる。なお、本実施形態では、底面６ａは、筐体２の上面２ｔと平行な平面であり、第１の側面６ｂは、筐体２の前面２ｆと平行な平面である。また、第２及び第３の側面６ｃ，６ｄは、筐体２の前面２ｆと上面２ｔの双方に垂直な平面である。
【００２１】
図２（ａ）に示すように、第１の側面６ｂには、ＵＳＢレセプタクル１０が備えられている。ＵＳＢレセプタクル１０は、ＵＳＢデバイス２０を接続するための接続端子（タイプＡ端子）であり、ＵＳＢデバイス２０のＵＳＢプラグ２２（図３参照）が挿入される長方形の開口部を備えている。そして、ＵＳＢデバイス２０のＵＳＢプラグ２２を、収容部６の前方からＵＳＢレセプタクル１０に向かって、第１の側面６ｂに対して垂直な方向に挿入すると、ＵＳＢデバイス２０がプロジェクター１に接続される。また、ＵＳＢデバイス２０が接続された状態において、ＵＳＢデバイス２０を、収容部６から前方に向かって、第１の側面６ｂと垂直な方向に引き抜くと、プロジェクター１からＵＳＢデバイス２０が離脱される。
【００２２】
次に、ＵＳＢデバイス２０について説明する。
ＵＳＢデバイス２０は、電子機器に所定の機能を付加するための電子デバイスであり、上述したように、電子機器（本実施形態では、プロジェクター１）のＵＳＢレセプタクル１０に接続される。本実施形態のＵＳＢデバイス２０は、無線通信機能を付加するためのデバイス（無線通信デバイス）であり、このＵＳＢデバイス２０がプロジェクター１に接続された場合には、プロジェクター１は、無線通信によって外部から送信される画像情報を受信して、この画像情報に基づく画像を投写することが可能となる。
【００２３】
図３は、本実施形態のＵＳＢデバイス２０を示す図であり、（ａ）は、上側から見た平面図、（ｂ）は、側面図、（ｃ）は、下側から見た平面図、（ｄ）は、（ａ）におけるＡ−Ａ断面図である。また、図４は、図３（ｄ）における部分拡大図である。なお、本実施形態では、ＵＳＢデバイス２０をプロジェクター１のＵＳＢレセプタクル１０に接続した状態において、上方に面する側を上側、下方に面する側を下側とする。また、ＵＳＢレセプタクル１０にＵＳＢデバイス２０を接続する方向、即ちＵＳＢプラグ２２を挿入する方向を「接続方向Ｄｃ」と呼び、その反対方向、即ちＵＳＢレセプタクル１０からＵＳＢデバイス２０を引き抜く方向を「離脱方向Ｄｒ」と呼ぶ。
【００２４】
図３（ａ）〜（ｄ）に示すように、本実施形態のＵＳＢデバイス２０は、ＵＳＢレセプタクル１０に挿入されるＵＳＢプラグ２２が、デバイス本体２１から接続方向Ｄｃに突出した態様になっている。このため、ユーザーは、ＵＳＢレセプタクル１０にＵＳＢプラグ２２を挿入することによって、ケーブルを用いることなくＵＳＢデバイス２０をプロジェクター１に接続させることができる。デバイス本体２１は、上側を覆う上ケース２３と、下側を覆う下ケース２４とを備えており、図３（ｄ）に示すように、上ケース２３と下ケース２４とで囲まれた空間には、ＵＳＢプラグ２２やその他の電子部品２５等が実装された回路基板２６が収容されている。
【００２５】
上ケース２３には、離脱方向Ｄｒ（接続方向Ｄｃ）と平行な３つの表面、即ち、プロジェクター１に接続した際に上側を向く上面２３ａと、左右方向を向く側面２３ｂ，２３ｃとに、各面から垂直に突出する凸部３１，３２が形成されている。具体的には、上面２３ａには、左右方向、即ち上面２３ａに平行で離脱方向Ｄｒに垂直な方向に延在する直線状の凸部３１が、接続方向Ｄｃ側の端部に３本、離脱方向Ｄｒ側の端部に３本の合計６本形成されている。また、側面２３ｂ，２３ｃのそれぞれには、上下方向、即ち側面２３ｂ，２３ｃに平行で離脱方向Ｄｒに垂直な方向に延在する直線状の凸部３２が、それぞれ接続方向Ｄｃ側の端部に４本、離脱方向Ｄｒ側の端部に４本の合計８本形成されている。これらの凸部３１，３２は、ＵＳＢデバイス２０をプロジェクター１から引き抜く際に、滑り止めとして機能する。
【００２６】
また、上ケース２３の上面２３ａの略中央、即ち接続方向Ｄｃ側の凸部３１と離脱方向Ｄｒ側の凸部３１の間には、このＵＳＢデバイス２０が無線通信デバイスであることを示す無線マーク３３が形成されている。無線マーク３３は、凸部３１と同様、上面２３ａから垂直に突出する凸状の部位によって形成されており、各部位の天面には、着色が施されている。無線マーク３３は、電波が伝搬する様子を表したマークであり、平面視で円状の部位（基点部）と、平面視で円弧状の３つの部位（アーク部）とを含んでいる。３つのアーク部は、基点部の近傍を中心とする同心の円弧で、それぞれ異なる半径を有しており、いずれも基点部よりも離脱方向Ｄｒ側に配列されている。つまり、３つのアーク部は、接続方向Ｄｃ側が開口し、離脱方向Ｄｒ側が膨らんだ状態で配列されている。このため、無線マーク３３は、ＵＳＢデバイス２０をプロジェクター１から引き抜く際には、凸部３１，３２と同様、滑り止めとしても機能する。
【００２７】
また、図３（ｃ）、（ｄ）及び図４に示すように、下ケース２４には、離脱方向Ｄｒ（接続方向Ｄｃ）と平行な表面である下面２４ａ、即ちプロジェクター１に接続した際に下側を向く下面２４ａの略全域に、表面から窪むように凹部３４が形成されている。そして、凹部３４の底面３４ａには、ＵＳＢデバイス２０の製品名や製造番号等、ＵＳＢデバイス２０に関する種々の情報が記載されるラベルＬが貼り付けられている。
【００２８】
図４に示すように、ラベルＬの厚さｔは、凹部３４の深さｄよりも薄く、ラベルＬの表面が下ケース２４の下面２４ａからはみ出さないようなっている。このため、ラベルＬを貼り付けた状態であっても、ユーザーは、凹部３４の周縁、即ち下面２４ａと凹部３４との境界をなす角部（稜部）に接触することが可能になっている。そして、ＵＳＢデバイス２０をプロジェクター１から引く抜く際には、離脱方向Ｄｒ側の端部において、離脱方向Ｄｒに垂直な方向に延在する角部３４ｂ（図３（ｃ）及び図４参照）に指が引っ掛かることになるため、凹部３４の角部３４ｂも、滑り止めとしても機能することになる。
【００２９】
以上説明したように、本実施形態のＵＳＢデバイス２０及びプロジェクター１によれば、以下の効果を得ることができる。
【００３０】
（１）本実施形態のＵＳＢデバイス２０によれば、離脱方向Ｄｒと平行な表面に、凸部３１，３２や凹部３４（角部３４ｂ）のように、表面から突出したり窪んだりする凹凸構造が形成されている。このため、ＵＳＢデバイス２０をプロジェクター１から引き抜く際に指が滑りにくくなり、ＵＳＢデバイス２０の離脱を容易に行うことが可能となる。また、ＵＳＢデバイス２０の離脱が容易になることにより、ＵＳＢデバイス２０を指で摘むための空間が小さくても、ＵＳＢデバイス２０の離脱が可能となるため、収容部６の容積を小さくすることが可能となる。つまり、ＵＳＢデバイス２０を収容するための収容部６をプロジェクター１に備える場合において、プロジェクター１の大型化を抑制することが可能となる。
【００３１】
（２）本実施形態のＵＳＢデバイス２０によれば、離脱方向Ｄｒと平行な４つの表面（上面２３ａ、側面２３ｂ，２３ｃ、及び下面２４ａ）に凹凸構造が形成されているため、様々な態様の収容部６において、ＵＳＢデバイス２０の離脱を容易に行うことが可能となる。例えば、図２に示したように、ＵＳＢデバイス２０の左右両側に空間を有する収容部６である場合には、ＵＳＢデバイス２０の左右の側面２３ｂ，２３ｃを摘んで引き抜けばよいし、図５に示すように、ＵＳＢデバイス２０の上下両側に空間を有する収容部６である場合には、上面２３ａと下面２４ａを摘んで引き抜けばよい。いずれの場合であっても、４つの表面（上面２３ａ、側面２３ｂ，２３ｃ、及び下面２４ａ）のすべてに凹凸構造が形成されているため、ＵＳＢデバイス２０の離脱を容易に行うことが可能となる。つまり、ＵＳＢデバイス２０を様々な電子機器で利用する場合でも、収容部６の態様に関らずに、その離脱を容易に行うことが可能となる。
【００３２】
（３）本実施形態のＵＳＢデバイス２０によれば、離脱方向Ｄｒ側の端部に凹凸構造が形成されているため、電子機器が、ＵＳＢデバイス２０の離脱方向Ｄｒ側の端部のみを露出させる態様の収容部６を備えている場合であっても、ＵＳＢデバイス２０の離脱を容易に行うことが可能となる。
【００３３】
（４）本実施形態のＵＳＢデバイス２０によれば、円弧状のアーク部を有する無線マーク３３が凹凸構造によって形成され、アーク部は、円弧の中心（基点部）よりも離脱方向Ｄｒ側に位置している。つまり、アーク部は、離脱方向Ｄｒの反対方向（接続方向Ｄｃ）側が開口しているため、ＵＳＢデバイス２０を摘んでプロジェクター１から離脱させる際に、指が引っ掛かりやすくなる。この結果、ＵＳＢデバイス２０の離脱がさらに容易になる。
【００３４】
（５）本実施形態のＵＳＢデバイス２０によれば、無線マーク３３が凹凸構造によって形成されている。つまり、滑り止めとして機能する凹凸構造がＵＳＢデバイス２０に付すべき無線マーク３３を兼ねている。このため、デバイス本体２１の表面のスペースを有効に活用することが可能となる。なお、ＵＳＢデバイス２０に付すべきマークは、無線マーク３３のように機能を表すマークに限られない。例えば、メーカー名等を表すロゴマークであってもよい。
【００３５】
（変形例）
また、上記実施形態は、以下のように変更してもよい。
【００３６】
上記実施形態では、電子機器の例として、プロジェクター１について説明しているが、電子機器は、プロジェクター１に限定されず、ＵＳＢレセプタクル１０を備えた電子機器であれば、他の電子機器（例えば、パーソナルコンピューター）にも適用可能である。
【００３７】
上記実施形態では、ＵＳＢデバイス２０が無線通信デバイスである場合を例にして説明したが、ＵＳＢデバイス２０は、無線通信デバイスに限定されず、メモリーを備えた記憶デバイス等、様々なデバイスに適用可能である。
【００３８】
上記実施形態において、ラベルＬが不要な場合、或いはラベルＬが十分に小さい場合には、下面２４ａにも凸部３１を形成するようにすればよい。
【００３９】
上記実施形態では、無線マーク３３のアーク部が、円弧の中心（基点部）よりも離脱方向Ｄｒ側にのみ配列されているが、無線マーク３３の態様はこれに限定されない。例えば、図６に示すように、円弧の中心から離脱方向Ｄｒ側とその反対側（接続方向Ｄｃ側）の双方にアーク部が配列された態様であってもよい。この場合でも、離脱方向Ｄｒ側に配列されたアーク部に指が引っ掛かることにより、ＵＳＢデバイス２０の離脱が容易になる。
【００４０】
上記実施形態では、ＵＳＢデバイス２０に形成された凸部３１，３２が直線状である場合について説明したが、凸部３１，３２の形状は、直線状に限定されない。例えば、無線マーク３３のアーク部のように、接続方向Ｄｃ側が開口し、離脱方向Ｄｒ側が膨らんだ円弧状としてもよい。
【符号の説明】
【００４１】
１…プロジェクター、２…筐体、２ｆ…前面、２ｔ…上面、３…投写レンズ、４…開口部、５…蓋部材、５ｆ…前面、５ｔ…上面、６…収容部、６ａ…底面、６ｂ…第１の側面、６ｃ…第２の側面、６ｄ…第３の側面、１０…ＵＳＢレセプタクル、２０…ＵＳＢデバイス、２１…デバイス本体、２２…ＵＳＢプラグ、２３…上ケース、２３ａ…上面、２３ｂ，２３ｃ…側面、２４…下ケース、２４ａ…下面、２５…電子部品、２６…回路基板、３１，３２…凸部、３３…無線マーク、３４…凹部、３４ａ…底面、３４ｂ…角部、Ｌ…ラベル、Ｄｃ…接続方向、Ｄｒ…離脱方向。
【図１】
2011242969.tif 000003
【図２】
2011242969.tif 000004
【図３】
2011242969.tif 000005
【図４】
2011242969.tif 000006
【図５】
2011242969.tif 000007
【図６】
2011242969.tif 000008